(57)【要約】【課題】  展開基材上での展開精度を向上させることのできる液体試料検査具の提供。【解決手段】  液体試料の抗原抗体反応を表示させて検査をする液体試料検査具であって、液体試料を展開させるための展開基材を収容する筺体を備え、筐体は天壁を備え、天壁に、液体試料を展開基材に滴下させるための滴下孔を備え、筐体の天壁における裏面側に滴下孔の周囲を囲繞する壁部が形成され、壁部における展開基材側の端面の一部に、端面における滴下孔側の内端から外端に向けた溝部が設けられている。【選択図】  図１
2016217847.tif 000002
【特許請求の範囲】
【請求項１】
液体試料の抗原抗体反応を表示させて検査をする液体試料検査具であって、
液体試料を展開させるための展開基材を収容する筺体を備え、
該筐体は天壁を備え、該天壁に、液体試料を展開基材に滴下させるための滴下孔を備え、
筐体の天壁における裏面側に滴下孔の周囲を囲繞する壁部が形成され、
該壁部における展開基材側の端面の一部に、該端面における滴下孔側の内端から外端に向けた溝部が設けられたことを特徴とする液体試料検査具。
【請求項２】
溝部は、前記端面における滴下孔側の内端から外端に亘るよう設けられた請求項１記載の液体試料検査具。
【請求項３】
溝部は、展開基材の長手方向である液体試料の展開方向に沿うよう設けられた請求項１または請求項２に記載の液体試料検査具。
【請求項４】
溝部の幅は、０．５〜２．５ｍｍである請求項１ないし請求項３の何れか１項に記載の液体試料検査具。
【請求項５】
溝部の深さは、０．１〜１．０ｍｍである請求項１ないし請求項４の何れか１項に記載の液体試料検査具。
【請求項６】
壁部における展開基材側の端面は、展開基材を押圧する押圧面であり、該押圧面に溝部が形成された請求項１ないし請求項５の何れか１項に記載の液体試料検査具。
【請求項７】
溝部に対して滴下孔の反対側にあって、壁部から展開基材側へ突出する堰部を壁部に備え、該堰部と壁部との間に液体試料溜りが形成された請求項１ないし請求項６の何れか１項に記載の液体試料検査具。
【請求項８】
液体試料の抗原抗体反応を表示させて検査をする液体試料検査具であって、
液体試料を展開させるための展開基材を収容する筺体を備え、
該筐体は天壁を備え、該天壁に、液体試料を展開基材に滴下させるための滴下孔を備え、
筐体の天壁における裏面側に滴下孔の周囲を囲繞する壁部が形成され、
該壁部における展開基材側の端面は、該端面のうちの他の部分に対して展開基材から離間することで展開基材との間に液体試料流入空間を形成させる空間形成面を備えたことを特徴とする液体試料検査具。
【発明の詳細な説明】
【技術分野】
【０００１】
本発明は、免疫クロマトグラフ法により液体試料を検査する際に用いられる液体試料検査具に関する。
【背景技術】
【０００２】
従来から、インフルエンザ検査具等の検査具として免疫クロマトグラフ法を用いる液体試料検査具が知られている（例えば、特許文献１参照）。特許文献１の液体試料検査具は筐体を備え、筐体には、液体試料を展開させるための展開基材が収容される。特許文献１の液体試料検査具の筐体の天壁には、液体試料（展開液）の滴下孔と、液体試料の反応を知るための検出窓とを備えている。
【０００３】
特許文献１の液体試料検査具では、滴下孔に滴下された液体試料が展開基材に展開された際、液体試料に被測定物である抗原が存在していると、抗原抗体反応が展開基材のメンブレン上に着色標識のシグナルとして現れ、この着色標識を検出窓から視認することにより検査結果を確認する。
【先行技術文献】
【特許文献】
【０００４】
【特許文献１】特開２０１０−１１７２１３号公報
【発明の概要】
【発明が解決しようとする課題】
【０００５】
ところで、液体試料は展開基材に毛細管現象によって展開されるものであり、必要な展開精度を得るためには、液体試料が円滑に展開基材に吸収されて、展開される必要がある。そしてこの種の液体試料検査具では、さらなる展開精度の向上が求められている。
【０００６】
そこで本発明は、展開基材上での展開精度を向上させることのできる液体試料検査具の提供を目的とする。
【課題を解決するための手段】
【０００７】
本発明は、液体試料の抗原抗体反応を表示させて検査をする液体試料検査具であって、液体試料を展開させるための展開基材を収容する筺体を備え、該筐体は天壁を備え、該天壁に、液体試料を展開基材に滴下させるための滴下孔を備え、筐体の天壁における裏面側に滴下孔の周囲を囲繞する壁部が形成され、該壁部における展開基材側の端面の一部に、該端面における滴下孔側の内端から外端に向けた溝部が設けられたことを特徴としている。
【０００８】
上記構成の液体試料検査具では、滴下孔に滴下された液体試料は展開基材に接触すると展開基材上で展開方向に展開される一方、上記構成の液体試料検査具では、壁部における展開基材側の端面の一部に、端面における滴下孔側の内端から外端に向けた溝部が形成されているから、滴下孔に滴下された液体試料の一部は溝部に優先的に入り込み、溝部により液体試料が展開基材に移されて、液体試料は展開基材上で展開方向に確実に展開される。
【０００９】
本発明の液体試料検査具では、溝部は、展開基材の長手方向である液体試料の展開方向に沿うよう設けられた構成を採用できる。
【００１０】
上記構成の液体試料検査具のように、溝部が展開基材の長手方向である展開方向に沿っていれば、液体試料を展開方向に展開させ易い。
【００１１】
本発明の液体試料検査具では、溝部の幅は、０．５〜２．５ｍｍである構成を採用できる。溝部の幅をこのような寸法に設定することで、溝部に入り込んだ液体試料は、展開基材に円滑に移される。
【００１２】
本発明の液体試料検査具では、溝部の深さは、０．１〜１．０ｍｍである構成を採用できる。溝部の深さをこのような寸法に設定することで、溝部に入り込んだ液体試料は、展開基材に円滑に移される。
【００１３】
本発明の液体試料検査具では、壁部における展開基材側の端面は、展開基材を押圧する押圧面であり、該押圧面に溝部が形成された構成を採用できる。この構成では、壁部における展開基材側の端面で展開基材を押圧し、溝部では展開基材を押圧しないから、溝部に液体試料の一部が入り込み易い。
【００１４】
本発明の液体試料検査具では、溝部に対して滴下孔の反対側にあって、壁部から展開基材側へ突出する堰部を壁部に備え、該堰部と壁部との間に液体試料溜りが形成された構成を採用できる。
【００１５】
上記構成の液体試料検査具のように、壁部に堰部を備えていれば、液体試料が堰部によって、液体試料溜りに堰き止められて、それ以上展開方向反対側へ移動してしまうのを抑制し、溝部による誘導が阻害されることを抑制する。
【００１６】
本発明は、液体試料の抗原抗体反応を表示させることで検査をする液体試料検査具であって、液体試料を展開させるための展開基材を収容する筺体を備え、該筐体は天壁を備え、該天壁に、液体試料を展開基材に滴下させるための滴下孔を備え、筐体の天壁における裏面側に滴下孔の周囲を囲繞する壁部が形成され、該壁部における展開基材側の端面は、該端面のうちの他の部分に対して展開基材から離間することで展開基材との間に液体試料流入空間を形成させる空間形成面を備えたことを特徴としている。
【００１７】
上記構成の液体試料検査具では、滴下孔に滴下された液体試料は展開基材に接触すると展開基材上で展開方向に展開される一方、上記構成の液体試料検査具では、壁部における展開基材側の端面に、端面のうちの他の部分に対して展開基材から離間することで展開基材との間に液体試料流入空間を形成させる空間形成面を備えているから、滴下孔に滴下された液体試料の一部は液体試料流入空間に優先的に入り込み、液体試料流入空間から液体試料が展開基材に移されて、液体試料が展開基材上で展開方向に確実に展開される。
【発明の効果】
【００１８】
本発明の液体試料検査具によれば、溝部が壁部における展開基材側の端面に連続して形成されていることで、滴下孔に滴下された液体試料の一部は溝部に入り込み、溝部に入り込んだ液体試料は、溝部から展開基材に移されて展開方向に展開されるから、液体試料の展開基材上での展開精度を向上させることができる。
【図面の簡単な説明】
【００１９】
【図１】本発明の第一の実施形態を表す液体試料検査具であって、展開基材を収容した状態の縦断面図である。
【図２】同下部筐体の単体平面図である。
【図３】同液体試料検査具の全体単体平面図である。
【図４】同上部筐体の単体裏面図である。
【図５】同図４における要部拡大図である。
【図６】同図５におけるＡ−Ａ線断面図である。
【図７】同図５におけるＢ−Ｂ線断面図である。
【図８】本発明の第二の実施形態の液体試料検査具における上部筐体の要部拡大裏面図である。
【図９】同図８におけるＡ−Ａ線断面図である。
【図１０】同図８におけるＢ−Ｂ線断面図である。
【図１１】本発明の第三の実施形態の液体試料検査具における上部筐体の要部拡大裏面図である。
【図１２】同図１１におけるＡ−Ａ線断面図である。
【図１３】同図１１におけるＢ−Ｂ線断面図である。
【図１４】本発明の第四の実施形態の液体試料検査具における上部筐体の要部拡大裏面図である。
【図１５】同図１５におけるＡ−Ａ線断面図である。
【図１６】同図１５におけるＢ−Ｂ線断面図である。
【発明を実施するための形態】
【００２０】
以下、本発明に係る液体試料検査具を、図面を参照しつつ説明する。まず、本発明の第一の実施形態に係る液体試料検査具を説明する。図１に示すように、第一の実施形態に係る液体試料検査具１は、インフルエンザウイルスの感染の有無等を検査する展開基材（テストストリップとも称される）２を装着して保持するためのものである。
【００２１】
図１、図２に示すように、展開基材２は、細長矩形のシート状に形成されている。展開基材２は、短冊状に形成されたベースカード上にその一端側（後述する試料滴下部５２側）から順にサンプルパッド２０、メンブレン２２および吸収パッド２３を、展開方向上流側から展開方向下流側に備えている。また、展開基材２は、メンブレン２２の端部分に、コンジュゲートパッド２１を挟み込んだ状態でサンプルパッド２０の端部分が積層された構成となっている。
【００２２】
展開基材２において、試料滴下部５２からサンプルパッド２０上に液体試料を滴下すると、この試料がコンジュゲートパッド２１に浸透して当該パッド２１に担持された特異抗体（金コロイド、カラーラテックス等の物質で標識した抗体；着色標識）と反応しながらメンブレン２２に浸透する。液体試料に被測定物である抗原が存在していると、この抗原とメンブレン２２に固定された抗体とが抗原抗体反応を起こし、メンブレン２２上に着色標識がシグナルとして現れる。この着色標識を後述する検出窓５７から、例えば視認することにより、検査結果を確認できる。
【００２３】
図１に示すように、液体試料検査具１は、展開基材２を収容する筐体３を備えている。筐体３は一対の分割筐体を備えている。筐体３の全体は、合成樹脂により形成されている。以下、一対の分割筐体を、下部筐体４、上部筐体５と称する。下部筐体４は、展開基材２を載置するためのものである。上部筐体５は、下部筐体４に対する蓋体である。下部筐体４および上部筐体５ともに、展開基材２の長手方向Ｌと同一の方向を長手方向Ｌとする矩形板状に形成されている。短手方向Ｂは長手方向Ｌを含む仮想平面内で長手方向Ｌと直交する幅方向である。筐体３の厚み方向ｔ（図１参照）は、長手方向Ｌおよび短手方向Ｂを含む仮想平面に対して直交する方向である。なお、長手方向一方側から長手方向他方側へ向かう方向、すなわちサンプルパッド２０から吸収パッド２３へ向かう方向が試料展開方向である。
【００２４】
図１、図２に示すように、下部筐体４は、平面視して矩形の底壁４０と、底壁４０の周囲端から中心側に位置ずれした位置で、底壁４０の四辺から一体的に立設された下部立設壁４１を備える。下部立設壁４１の上端面４１ａは平坦に形成されている。本発明に係る液体試料検査具１では、上部筐体５と下部筐体４とが、ピン６と孔部７との嵌合により組付けられることで、下部筐体４および上部筐体５が組付けられて筐体３とされる。本実施形態では、孔部７は下部筐体４側に配置され、ピン６は上部筐体５側に配置されている。
【００２５】
図２に示すように、孔部７は下部筐体４の、底壁４０に立設されたボス部７Ａの中心に形成されている。本実施形態では、ボス部７Ａは底壁４０の八箇所に形成されている。具体的には、ボス部７Ａは、短手方向一方側の下部立設壁４１に長手方向Ｌに間隔を置いて四箇所に配置され、短手方向他方側の下部立設壁４１に長手方向Ｌに間隔を置いて四箇所に配置されている。
【００２６】
ボス部７Ａのうち、一組は短手方向Ｂに沿うよう対向して配置されている。ボス部７Ａのうち、他の三組は長手方向Ｌに位置ずれして対向配置されている。図２に示すように、孔部７は案内凹部７０と孔７１とを備えている。案内凹部７０は下方側（底壁４０側）へ向けて下傾斜する角錐面により形成されている。案内凹部７０の下側に孔７１が連続して形成されている。
【００２７】
図２に示すように、下部筐体４の底壁４０の上面には、展開基材２を載置するための載置部が突出するよう形成されている。載置部は、長手方向一方側寄りに配置された第一載置部８、長手方向途中部分に配置された第二載置部９、および長手方向他方側に配置された第三載置部１０を備える。第一載置部８の上面は円形（あるいは長円形）の平坦面に形成され、この平坦面は展開基材２の長手方向一方側部分（サンプルパッド２０）を載置する載置面８０とされている。第二載置部９、および第三載置部１０はそれぞれ短手方向Ｂに離間した複数の凸条により構成されている。第二載置部９は、展開基材２の長手方向途中部分（コンジュゲートパッド２１、メンブレン２２）を載置する部分である。第三載置部１０は、展開基材２の長手方向他方側部分（吸収パッド２３）を載置する部分である。
【００２８】
底壁４０の上面を基準として、第二載置部９、および第三載置部１０の上端までの高さは等しく設定されている。第二載置部９は、第三載置部１０の長手方向長さに比べて長く形成されている。底壁４０の上面を基準として、第一載置部８の載置面８０までの高さは、第二載置部９、および第三載置部１０の上端までの高さに比べてわずかに高く設定されている。
【００２９】
下部筐体４の底壁４０には、展開基材２を収容する領域を特定させるための位置決め部材が突出するように形成されている。位置決め部材は、展開基材２を収容する領域を長手方向Ｌで特定させるための長手方向位置決め部材１１，１２と、展開基材２を収容する領域を短手方向Ｂで特定させるための短手方向位置決め部材１３，１４を備える。長手方向位置決め部材１１，１２は、長手方向Ｌで対向するよう一対で立設されている。長手方向位置決め部材１１，１２は短手方向Ｂに沿う壁状に形成されている。長手方向位置決め部材１１，１２のうちの一方の長手方向位置決め部材１１は、第一載置部８に対して長手方向一方側寄りに配置されている。他方の長手方向位置決め部材１２は、第三載置部１０に対して長手方向他方側寄りに配置されている。底壁４０の上面を基準とした長手方向位置決め部材１１，１２の上端までの高さは、第一載置部８の載置面８０の高さに比べて高く設定されている。
【００３０】
短手方向位置決め部材１３，１４は、短手方向Ｂで対向するよう対で立設されている。この短手方向位置決め部材１３，１４は、長手方向Ｌに離間して二組設けられている。短手方向位置決め部材１３，１４は長手方向Ｌに沿う壁状に形成されている。長手方向一方側の短手方向位置決め部材１３は、第一載置部８と第二載置部９との間に配置されている。長手方向他方側の短手方向位置決め部材１４は、第二載置部９と第三載置部１０との間に配置されている。底壁４０の上面を基準とした短手方向位置決め部材１３，１４の上端までの高さは、長手方向位置決め部材１１，１２と同一に設定されている。
【００３１】
図１、図３に示すように、上部筐体５は平面視して矩形に形成された天壁５０と、天壁５０の周囲端（縁部）にあって天壁５０の四辺から一体的に垂下するよう立設された上部立設壁５１を備える。下部筐体４および上部筐体５を組付けた状態において、下部立設壁４１は上部立設壁５１の内側にあって、長手方向Ｌおよび短手方向Ｂで対向する。
【００３２】
図４に示すように、上部筐体５における上部立設壁５１の内側で、天壁５０の裏面に、孔７１に嵌合する前記ピン６が突出するよう一体的に形成されている。ピン６は孔７１に対応する位置に配置されている。図６、図７に示すように、各ピン６は、胴部６０と、胴部６０に比べて大径に形成された頭部６１と、頭部からさらに延長されて、頭部６１に比べて小径の先端部６３とを備えている。また、ピン６は、天壁５０の裏面に一体的に形成された傾斜した補強リブ６４により補強されている。なお、補強リブ６４は、高さ寸法および離間寸法が孔部７の案内凹部７０に入りこむよう設定されている。
【００３３】
ピン６における、上部筐体５の天壁５０の裏面からの最大高さ、すなわち、天壁５０の裏面から先端部６３の端までの高さは、孔部７の最大深さ、すなわち、ボス部７Ａの上端から孔７１の底面までの深さに比べて小さく設定されている。換言すれば、補強リブ６４を含めてピン６が孔部７に嵌合した際に、ピン６の先端部６３の端と、孔７１の底面との間に隙間を生じさせる寸法関係が設定されている。
【００３４】
図１、図３に示すように、上部筐体５の天壁（上面）５０の、展開基材２のサンプルパッド２０に対応する領域に、液体試料を滴下するための前記試料滴下部５２が形成されている。試料滴下部５２には楕円形の滴下孔５３が形成され、滴下孔５３の外周領域は、滴下孔５３へ向かって傾斜する傾斜壁（壁部に相当する）５４である。傾斜壁５４の上面は上傾斜面５４ａである。図１、図６に示すように、上部筐体５の天壁５０の裏面において、上傾斜面５４ａに対応する領域は、上傾斜面５４ａに倣うよう下傾斜した下傾斜面５４ｂである。傾斜壁５４の下端部は、天壁５０と平行な平坦面とされている。この平坦面は、サンプルパッド２０を上方から押圧する押圧面５５である。
【００３５】
傾斜壁５４の下端部は、滴下孔５３の周囲を囲繞する下壁部５４Ａであり、下壁部５４Ａの内周面は、厚み方向ｔに沿う面である。下壁部５４Ａにおける展開基材２側の端面が前記押圧面５５であり、その一部であって展開方向側に相当する部位に、展開方向に向けた溝部５３Ａが、滴下孔５３に連続して設けられている（例えば、図５参照）。溝部５３Ａは、液体試料を展開方向へ展開させるのを誘導する誘導手段である。この場合、展開方向に向けたとは、展開方向に亘る形態であり、溝部５３Ａは、滴下孔５３側の内端から外端に亘るよう形成されている。
【００３６】
具体的に、溝部５３Ａは、液体試料の展開方向に沿うよう形成され、溝部５３Ａは、押圧面５５において、展開方向と直交する幅方向の中心に配置されている。溝部５３Ａは、下壁部５４Ａの高さに至らない深さに形成されている。すなわち、溝部５３Ａは、下壁部５４Ａの内周面の厚み方向ｔに相当する高さより小さい高さ（深さ）に設定されている。換言すれば、溝部５３Ａは、押圧面５５を基準にして滴下孔５３の高さには至らない深さに形成されている。溝部５３Ａを形成する壁面は円弧状に形成され、該壁面は押圧面５５と平行に形成されている。溝部５３Ａを形成する円弧状の壁面の頂点の位置が溝部５３Ａの高さ（深さ）に相当する。溝部５３Ａの幅は、０．５〜２．５ｍｍの範囲に設定されている。溝部５３Ａの深さは、０．１〜１．０ｍｍの範囲に設定されている。なお、本実施形態では、溝部５３Ａの幅は１．５ｍｍに形成され、深さは０．５ｍｍに形成されている。
【００３７】
上部筐体５の天壁５０の、展開基材２のメンブレン２２に対応する領域に、検出部５６が形成されている。検出部５６には矩形の検出窓５７が形成されている。検出窓５７は、展開基材２上での液体試料の反応を知るための開口である。検出窓５７は、滴下孔５３に対し液体試料の展開方向である展開基材の長手方向に相当する方向に離間して配置されている。検出窓５７の外周領域は、検出窓５７へ向かって傾斜する傾斜面５８とされている。上部筐体５の天壁５０の裏面において、傾斜面５８に対応する領域は、傾斜面５８に倣うよう下傾斜しており、その下端部は平坦面とされている。この平坦面は、メンブレン２２を押圧するメンブレン用押圧面５９である。
【００３８】
上部筐体５の天壁５０の裏面において、メンブレン用押圧面５９の長手方向一方側寄りに、展開基材２のコンジュゲートパッド２１を押圧するための押圧壁１５が突出するよう形成されている。押圧壁１５は短手方向Ｂに長い壁であり、その下面は平坦面であって、この平坦面は、コンジュゲートパッド２１を押圧するコンジュゲートパッド用押圧面１５０である。なお、上部筐体５の天壁５０には、試料滴下数指示表示部、感染有無の結果表示部、終了確認表示部（符合省略）が、成型時に刻設等により一体的に形成されている。
【００３９】
本実施形態における筐体３は、上記構成の上部筐体５および下部筐体４を組付けることで構成される。具体的に、まず組付け作業において、例えば作業者が展開基材２を下部筐体４に載置する。このとき作業者は、展開基材２を長手方向位置決め部材１１，１２および短手方向位置決め部材１３，１４の間に挿入されるよう載置する。換言すれば、展開基材２を載置するには、長手方向位置決め部材１１，１２および短手方向位置決め部材１３，１４を目印として、展開基材２を載置することができる。
【００４０】
展開基材２を下部筐体４に設置し終えたら、下部筐体４の上側を上部筐体５で覆うようにして、下部筐体４と上部筐体５とを組付ける。なお、このとき作業者は、各ピン６と各孔部７とを嵌合させるようにするのであるが、ボス部７Ａのうち、一組は短手方向Ｂに沿うよう対向して配置されているものの、ボス部７Ａのうち、他の三組は長手方向Ｌに位置ずれして対向配置されている。
【００４１】
ボス部７Ａを位置ずれすることなく対向配置される場合には、作業者が下部筐体４の長手方向Ｌと上部筐体５の長手方向Ｌを誤ったとしても、各ピン６と各孔部７とは嵌合可能なため、下部筐体４に対して上部筐体５を誤った方向に組み付ける恐れがある。しかしながら、本実施形態では、作業者が下部筐体４の長手方向Ｌと上部筐体５の長手方向Ｌを誤ったとしても、各ピン６と各孔部７とは位置ずれして嵌合できないため、下部筐体４の長手方向Ｌと上部筐体５の長手方向Ｌを誤った状態で組み付けることがなく、適正な液体試料検査具１を製造することができる。
【００４２】
押圧面５５によりサンプルパッド２０が圧縮されすぎると試料が流れにくく、押圧面５５とサンプルパッド２０とに隙間があきすぎると液体試料がサンプルパッド２０から横漏れする。コンジュゲートパッド用押圧面１５０では、展開基材２のメンブレン２２とコンゲージュドパッド２１の浮きを押えるようにしている。メンブレン用押圧面５９では、液体試料の流れが悪くならないように、展開基材２のメンブレン２２と吸収パッド２３が浮かないようにしている。）
【００４３】
ピン６の頭部６１が孔部７に嵌合されることにより、下部筐体４に対して上部筐体５が緩まない。このため、展開基材２を筐体３内の所定位置で確実に押えることができ、展開基材２上に滴下された液体試料を確実に浸透させながら展開させ、正確かつ速やかな検査結果を得られる。しかも、載置面８０に載置されたサンプルパッド２０が押え部である押圧面５５により押圧され、第二載置部９に載置されたコンゲージュドパッド２１が押え部であるコンジュゲートパッド用押圧面１５０により押圧され、第二載置部９に載置されたメンブレン２２が押え部であるメンブレン用押圧面５９により押圧される。これにより、展開基材２は長手方向Ｌにおいて正確な位置を保持されるから、正確かつ速やかな検査結果を得られる構成となっている。
【００４４】
以上のような構成により、本実施形態における液体試料検査具１では、液体試料を滴下孔５３に滴下すると、液体試料は展開基材２に毛細管現象により吸収され、時間の経過とともに展開基材２に展開される。上述したように、液体試料に被測定物である抗原が存在していると、この抗原とメンブレン２２に固定された抗体とが抗原抗体反応を起こし、メンブレン２２上に着色標識がシグナルとして現れる。この着色標識を検出窓５７から視認することにより、検査結果を確認できる。
【００４５】
ところで、展開基材２に滴下された液体試料は展開基材２上に展開されるが、本実施形態の液体試料検査具１では、いっそう確実に液体試料を展開させて展開精度を向上させるために、誘導手段を備えている。前述したように、この誘導手段は、溝部５３Ａである。
【００４６】
すなわち、滴下孔５３に滴下された液体試料は展開基材２に接触すると展開基材２上で展開方向に展開される一方、下壁部５４Ａにおける展開基材２側の端面に、下壁部５４Ａに展開方向に亘る溝部５３Ａが滴下孔５３に連続して形成されているため、滴下孔５３に滴下された液体試料の一部は、溝部５３Ａに優先的に入り込む。溝部５３Ａは、下壁部５４Ａの高さに至らない深さであるから、その分だけ溝部５３Ａの底が展開基材２に近付いており、溝部５３Ａに入り込んだ液体試料が展開基材２に移り易い。そして、溝部５３Ａに入り込んだ液体試料は、溝部５３Ａから毛細管現象により展開基材２に移されて、展開方向に展開される。これによって、いっそう確実に液体試料を展開させ得る。
【００４７】
また、溝部５３Ａは液体試料の展開方向に沿うよう設けられ、しかも幅方向の中心に配置されている。この構成から、溝部５３Ａによって液体試料を展開させ易いように補助でき、しかも展開基材２の幅方向中心部から幅方向両側に均一に広がるようにして展開されるから、展開精度を向上させ得る。
【００４８】
また、溝部５３Ａの幅は、０．５〜２．５ｍｍであり、溝部５３Ａの幅をこのような寸法に設定することで、溝部５３Ａに入り込んだ液体試料は、展開基材２に円滑に移されることが分かった。さらに、溝部５３Ａの深さを、０．１〜１．０ｍｍとすることで、溝部５３Ａに入り込んだ液体試料は、展開基材２に円滑に移されることが分かった。
【００４９】
ところで、液体試料が展開基材２に円滑に展開されるためには、そもそも、滴下孔５３に滴下される液体試料の滴下量が適量であること、滴下速度が適切であること、液体試料の粘度が適切であること等の滴下諸条件が関わる。例えば、液体試料の滴下量として３滴が規定されている場合に４滴、５滴といったように、３滴を超える量を滴下してしまったり、滴下の速度が速すぎたり（滴下から次の滴下までの時間が短すぎたり）すると、これまでは、上部筐体５および下部筐体４を組付面の隙間から液体試料が漏れる場合があった。液体試料が液体試料検査具１の内部から漏れると、展開基材２上での液体試料の展開不良が発生し、正確な検査ができない。そして、上部筐体５および下部筐体４を組付面の隙間から液体試料が漏れる場合には、展開基材２に吸収しきれなかった液体試料が、毛細管現象により、上部筐体５の天壁５０の裏面を伝い、これが組付面の隙間から漏れるといった現象が生じることがある。
【００５０】
一方で、本実施形態の液体試料検査具１では、溝部５３Ａを備えている。このため、液体試料の滴下量が多すぎたり、滴下速度が速すぎたりした場合でも、液体試料は溝部５３Ａの誘導により展開基材２へ誘導されて、展開基材２上で展開方向へ移される。このため、上部筐体５および下部筐体４の組付面の隙間への液体試料の移動が抑制されて液体試料の漏れを防止でき、しかも、本来の展開方向以外の方向に液体試料が移動してしまうことを抑制できるため、展開基材２上に展開される液体試料の絶対量が増える。
【００５１】
このように、本実施形態の液体試料検査具１では、液体試料の滴下諸条件が適切でない場合であっても、液体試料が外部へ漏れてしまうのを効果的に防止し、展開精度を向上させられる。また、展開精度が向上することにより、展開不良が抑制され、偽陰性を回避することができる。
【００５２】
本発明に係る液体試料検査具１は、上記実施形態に限定されるものではなく、本発明の要旨を逸脱しない範囲で種々の変更が可能である。図８、図９、図１０に、本発明の第二の実施形態を示す。第二の実施形態に係る液体試料検査具１では、傾斜壁５４において、溝部５３Ａを避けた位置に相当する部位に、下方（展開基材２側）へ向けて突出する堰部５４Ｂが設けられている。堰部５４Ｂは、傾斜壁５４に一体的に形成されている。具体的に、堰部５４Ｂは、傾斜壁５４の下傾斜面５４ｂの傾斜方向途中にあって、下方に向けて立設されるよう形成された壁である。堰部５４Ｂの下端面は、押圧面５５と面一の高さ位置にある。この堰部５４Ｂは、溝部５３Ａ（誘導手段）での誘導を補助するための誘導補助手段である。なお、堰部５４Ｂは展開基材２から外れている領域を有する。この場合、展開基材２に対して幅方向Ｂで外れている。
【００５３】
堰部５４Ｂは、傾斜壁５４の外周面（下傾斜面５４ｂ）の周方向に倣って延長され、傾斜壁５４を溝部５３Ａに対して展開方向反対側で半周する程度に設けられている。すなわち、堰部５４Ｂはその展開方向側が開放された馬蹄形状に形成されている。また、堰部５４Ｂの断面は矩形（台形状）に形成されている。
【００５４】
堰部５４Ｂの内周面５１４は、溝部５３Ａとともに、液体試料を展開方向へ展開させるのを誘導補助する誘導補助手段として用いられる。つまり、堰部５４Ｂが形成されていることによって、堰部５４Ｂの内周面５１４と傾斜壁５４の外周面との間に、液体試料溜り５１６が形成される。この内周面５１４は、上下方向に倣う面である。他の構成は第一の実施形態と同様であるので、同一の機能を備えた構成部品については符合を付して、その説明を繰り返さない。
【００５５】
第二の実施形態に係る液体試料検査具１によれば、特に、液体試料の滴下量が多すぎる場合では、滴下孔５３に滴下された液体試料の一部が、堰部５４Ｂに堰き止められて液体試料溜り５１６に溜る。液体試料が液体試料溜り５１６に溜れば、液体試料が上部筐体５の天壁５０の裏面をさらに伝って、例えば組付面の隙間から漏れるといった現象を効果的に抑制できる。また、液体試料が天壁５０の裏面を伝うことで、本来の展開方向への液体試料の流れを妨害してしまうのを抑制できる。
【００５６】
そして、一旦液体試料溜り５１６に溜められた液体試料の一部は、展開基材２上の液体試料の展開に伴って展開基材２上で展開方向へ移動する。よって、展開基材２で展開される液体試料の絶対量が増え、いっそう確実に展開精度を向上させ得る。
【００５７】
図１１、図１２、図１３に第三の実施形態を示す。第三の実施形態に係る液体試料検査具１では、その堰部５４Ｂの断面形状であり、第二の実施形態では堰部５４Ｂの外周面が上方側ほど径方向外方に傾斜する傾斜面とされている。堰部５４Ｂの外周面５１５の基端は、傾斜壁５４の基端に略一致している。堰部５４Ｂの内周面５１４は、上下方向に倣う面である。
【００５８】
他の構成は、第二の実施形態と同様であるので、同一の機能を備えた構成部品については、同一の符合を付してその説明を繰り返さない。また、第三の実施形態における液体試料検査具１は、第二の実施形態における液体試料検査具１と同様の作用効果を奏し得る。
【００５９】
図１４、図１５、図１６に第四の実施形態を示す。第四の実施形態に係る液体試料検査具１が第二、第三の実施形態の液体試料検査具１と異なる構成は、堰部５４Ｂの位置および堰部５４Ｂの高さである。
【００６０】
第四の実施形態に係る液体試料検査具１では、第一の実施形態に係る液体試料検査具１に比べて、堰部５４Ｂ（その内周面５１４）が、傾斜壁５４の傾斜方向基端側に配置されている。また、第二の実施形態では、堰部５４Ｂの下端面は押圧面５５と面一であったのに対し、第四の実施形態では、堰部５４Ｂの下端面は、押圧面５５に比べて上方に配置されている。つまり、第二の実施形態に比べて堰部５４Ｂの高さが低くなっている。堰部５４Ｂが低くても、液体試料溜り５１６を形成しているので、液体試料溜り５１６に溜められた液体試料の一部は、展開基材２上の液体試料の展開に伴って展開基材２上で展開方向へ移動し、展開基材２で展開される液体試料の絶対量が増えるから、展開精度を向上させ得る。
【００６１】
上記各実施形態では、溝部５３Ａは、滴下孔５３側の内端から外端に亘るよう形成された場合を例示した。しかしながら、本発明はこの構成に限定されず、壁部（例えば、傾斜壁５４）における滴下孔５３側の内端から外端に向けて形成されていればよく、例えば、滴下孔５３側の内端から外端に向けて、外端までには至らないように形成してもよい。このように構成しても、上記各実施形態と同様に、滴下孔５３に滴下された液体試料の一部は、溝部５３Ａに優先的に入り込み、溝部５３Ａから毛細管現象により展開基材２に移されて、展開方向に展開される。これによって、確実に液体試料を展開させ得る。
【００６２】
上記各実施形態において、壁部は傾斜壁とした場合を例示した。しかしながら、壁部は傾斜している構成に限定されず、図示しないが上下方向に沿う構成であってもよく、この場合でも、本発明を適用することができる。具体的には、壁部が滴下孔を囲繞する筒状に形成されている構成において、その下端面（押圧面）の一部に、溝部を形成する。堰部を設ける場合は、堰部は壁部の高さ方向（厚み方向ｔ）途中部分や壁部の基端部に、液体試料溜りを形成するよう設ける。
【００６３】
上記各実施形態では、溝部５３Ａは、液体試料の展開方向に沿うよう形成され、溝部５３Ａは、押圧面５５において、展開方向と直交する幅方向の中心に配置され、下壁部５４Ａの高さに至らない深さに形成され、溝部５３Ａを形成する壁面は円弧状に形成され、該壁面は押圧面５５と平行に形成された場合を例示した。
【００６４】
しかしながら、溝部の配置数は、押圧面の幅方向中心に配置するほか、幅方向中心に対して幅方向片側あるいは幅方向両側に位置ずれさせて、複数配置してもよい。また、溝部の深さは、０．１〜１．０ｍｍの範囲内であれば、天壁の裏面に一致する深さであってもよい。さらに、溝部の壁面は、押圧面と平行でなく、押圧面に対して展開方向に上傾斜、あるいは下傾斜させた形態であってもよい。さらに、溝部の方向は、展開方向（展開基材２の長手方向）に沿わせる必要はなく、展開方向に対して傾斜する方向に形成することもできる。
【００６５】
筐体３は細長の矩形状に形成したが、長楕円状に形成することもできる。また、液体試料検査具１の溝部は、展開基材の長手方向と直交する幅方向の中心に配置され、滴下孔はその中心を溝部の幅方向の中心に一致させた円形または楕円形に形成された構成を採用した。しかしながらこの構成に限らず、矩形状や三角形状に構成することもできる。さらに、本液体試料検査具１の用途は、インフルエンザウイルスの感染の有無に限定されず、他には、各種ウィルス感染の有無、便潜血の検査のため等に用いることもできる。
【００６６】
図示しないが、滴下孔５３よりも展開方向側において、天壁５０の裏面に、溝部５３Ａを通り抜けた液体試料を検出窓５７側に誘導するべく溝条部（単数、複数は問わない）を形成することもできる。この溝条部に誘導されるように液体試料が天壁５０の裏面を伝うことで、本来の展開方向への液体試料の流れを妨害してしまうのを抑制できる。
【００６７】
さらに、本発明の液体試料検査具では、壁部における展開基材２側の端面は、端面のうちの他の部分に対して展開基材２から離間することで展開基材２との間に液体試料流入空間を形成させる空間形成面を備えていてもよい。具体的に、空間形成面として、押圧面５５を展開方向へ向けて上傾斜させることで、押圧面５５と展開基材２の上面との間に、展開方向側ほど高さが高くなる空間である液体試料流入空間が形成される。この液体試料流入空間に流入した液体試料が、上記各実施形態の溝部５３Ａと同様に展開基材２へ移される。空間形成面は、連続的に展開方向へ向けて上傾斜する面でもよいし、段階状な面であってもよい。
【符号の説明】
【００６８】
１…液体試料検査具、２…展開基材、３…筐体、４…下部筐体、５…上部筐体、２０…サンプルパッド、２１…コンジュゲートパッド、２２…メンブレン、２３…吸収パッド、５０…天壁、５２…試料滴下部、５３…滴下孔、５３Ａ…溝部、５４…傾斜壁、５４Ａ…下壁部、５４Ｂ…堰部、５４ａ…上傾斜面、５４ｂ…下傾斜面、５７…検出窓、５１４…内周面、５１５…外周面、５１６…液体試料溜り、Ｂ…短手方向、Ｌ…長手方向、ｔ…厚み方向
【図１】
2016217847.tif 000003
【図２】
2016217847.tif 000004
【図３】
2016217847.tif 000005
【図４】
2016217847.tif 000006
【図５】
2016217847.tif 000007
【図６】
2016217847.tif 000008
【図７】
2016217847.tif 000009
【図８】
2016217847.tif 000010
【図９】
2016217847.tif 000011
【図１０】
2016217847.tif 000012
【図１１】
2016217847.tif 000013
【図１２】
2016217847.tif 000014
【図１３】
2016217847.tif 000015
【図１４】
2016217847.tif 000016
【図１５】
2016217847.tif 000017
【図１６】
2016217847.tif 000018